(57)【特許請求の範囲】
【請求項１】
Ｘ線管の陰極のフィラメントを所望のフィラメント設定高さに調整する方法において、
少なくとも２つの孔が貫通しているＸ線管の陰極カップを設ける工程と、
少なくとも２つの孔を通してフィラメントのリードを所望のフィラメント設定高さより低い高さまで挿入して、フィラメント支柱を形成する工程と、
フィラメント設定高さ調整距離が実際のフィラメント設定高さと所望のフィラメント設定高さとの差にほぼ等しくなるように、フィラメント設定高さ調整距離を決定する工程と、
前記フィラメント支柱の端部を調整工具と接触させる工程と、
前記調整工具と少なくとも１つの前記フィラメント支柱を前記フィラメント設定高さ調整距離とほぼ等しい距離だけ同時に移動させることにより、前記フィラメント支柱を所定のフィラメント設定高さに位置決めする工程と、
を有する方法。
【請求項２】
フィラメントリード管を前記陰極カップの穴に挿入し且つ固着する工程を更に含む請求項１記載の方法。
【請求項３】
前記挿入工程は、前記フィラメント支柱を前記フィラメントリード管の一端部から延出させることを含む請求項２記載の方法。
【請求項４】
前記リードを前記フィラメントリード管内部に摩擦により維持する工程を更に含む請求項３記載の方法。
【請求項５】
前記リードを前記フィラメントリード管内部に摩擦により維持するために、前記フィラメントリード管をクリンプすることを更に含む請求項４記載の方法。
【請求項６】
前記調整工具を前記フィラメントリード管に選択的に固着する工程を更に含む請求項４記載の方法。
【請求項７】
前記調整工具は取り付け具及びカリブレータを具備し、前記取り付け具は、第１の開いた端部と、第２の開いた端部とを有する孔を具備し、前記フィラメントリード管は第２の開いた端部に受け入れられ、且つ前記カリブレータは第１の開いた端部に受け入れられる請求項１記載の方法。
【請求項８】
第２の開いた端部は、前記取り付け具を前記フィラメントリード管に選択的に固着するクランプを含む請求項７記載の方法。
【請求項９】
前記カリブレータはマイクロメータを具備し、前記マイクロメータは前記取り付け具の第１の開いた端部の内部に固着され、前記マイクロメータは、前記リードを接続するために第２の開いた端部に向かって前記孔の中へ延出するロッドを具備する請求項７記載の方法。
【請求項１０】
前記ロッドが前記フィラメントの前記リードと接触するとき、前記マイクロメータの読みは０に設定される請求項９記載の方法。
【請求項１１】
前記マイクロメータは、前記ロッドを前記フィラメント支柱の軸方向に沿って前記フィラメント設定高さ調整距離に等しい距離だけ変位させるように調整される請求項９記載の方法。
【請求項１２】
陰極のフィラメント設定高さを調整する装置において、
第１の開いた端部と、第２の開いた端部とを有する中心孔を具備する取り付け具と、
前記取り付け具の第１の開いた端部に受け入れられたカリブレータと、
前記フィラメントのフィラメント支柱が前記第２の開いた端部を貫通するように前記第２の開いた端部を前記陰極の一部分に固着する手段とを具備し、
前記カリブレータは前記フィラメント支柱の一端部と接触されることが可能である装置。
【請求項１３】
前記取り付け具の第２の開いた端部は前記陰極のフィラメントリード管に固着される請求項１２記載の装置。
【請求項１４】
前記カリブレータは前記フィラメント支柱の軸方向に変位自在である請求項１２記載の装置。
【請求項１５】
前記中心孔は第１の開いた端部に隣接する第１の部分と、第２の開いた端部に隣接する第２の部分とを含み、前記第１の部分の直径は前記第２の部分の直径より大きい請求項１２記載の装置。
【請求項１６】
前記フィラメント支柱は、前記第２の部分に選択的に固着されるフィラメントリード管から前記第１の部分へ延出している請求項１５記載の装置。
【請求項１７】
前記カリブレータは、前記取り付け具の前記中心孔の前記第１の部分に螺合受け入れされるボルトを具備する請求項１５記載の装置。
【請求項１８】
前記カリブレータはマイクロメータを具備する請求項１６記載の装置。
【請求項１９】
前記第１の部分は第１の開いた端部と前記第２の部分との間に中間部分を具備する請求項１５記載の装置。
【請求項２０】
前記カリブレータは、前記中間部分へ軸方向に延出するロッドを具備する請求項１９記載の装置。
【請求項２１】
前記フィラメントリードは、前記第２の部分に選択的に固着される前記フィラメントリード管から前記中間部分へ延出している請求項２０記載の装置。
【請求項２２】
Ｘ線管フィラメントの調整装置において、
第１の開いた端部と、第２の開いた端部とを有する中心孔を有する取り付け具と、
フィラメント支柱の端部に接触し、フィラメントの設定高さ位置を調整する調節手段であって、前記取り付け具の第１の開いた端部に受け入れられ且つ前記フィラメント支柱と同一直線となる軸を有する前記調節手段と、
前記第２の開いた端部に隣接し、前記フィラメント支柱が第２の開いた端部を貫通するように前記取り付け具を陰極の一部分に固着する手段とを具備し、
前記調節手段は前記フィラメント支柱の端部と接触され且つ前記フィラメントの設定高さ位置を調整することができる調整装置。
【発明の詳細な説明】
【０００１】
【発明の属する技術分野】
本発明は医療用画像の形成の分野で使用されるＸ線管に関する。特に、本発明は、Ｘ線管の陰極カップアセンブリにおいてフィラメント設定高さを調整する方法及び装置に関する。
【０００２】
【従来の技術】
Ｘ線源はコンピュータ断層撮影、Ｘ線透視撮影及びＸ線乳房撮影などの医療用撮影システムで使用されることが多いが、それらには限定されない。Ｘ線源は、通常、陽極及び陰極を収納する、フレームとして知られる真空容器を含む。Ｘ線は、陽極と陰極の間に高電圧を印加し、陰極から発する電子を陽極上の焦点トラックに向かって加速することにより発生される。
【０００３】
そのようなＸ線源のための周知の陰極アセンブリは、通常、陰極カップと、複数の電流搬送フィラメントとを含む。フィラメントリードはフィラメント貫通アセンブリを介してカップを貫通する。フィラメント貫通アセンブリは、通常、電気絶縁体と、リードを所望の場所に固着するために使用される金属スリーブとを具備する。
【０００４】
少なくとも１つの周知のフィラメント貫通アセンブリは管状のフィラメント支柱と、ほぼ円筒形の絶縁体と、スリーブとを含む。フィラメント支柱はスリーブの中に配置されても良い。陰極カップに関してフィラメントがどう位置決めされるかは、焦点の大きさと位置、放出電流などのＸ線管の動作特性に影響を及ぼすため、フィラメントを陰極カップに関して精密に位置決めすることは重要である。従って、フィラメントリード、すなわち、フィラメントを陰極カップ内部で適正に位置決めすることが望ましい。
【０００５】
フィラメント設定高さを調整するための従来のフィラメント設定方法はペンチとハンマーを使用して、フィラメントを所望の場所まで引くか、ねじるか、又は押し出すというものである。リードをどの程度動かすかを制御するのは難しく、フィラメント設定高さが所望の許容差の範囲内におさまるまで、繰り返しフィラメント位置を調整し、測定することにより、所望のフィラメントの整列状態が実現される。この工程は長い時間を要し、また、フィラメントを所望のフィラメント設定高さの許容差の範囲内に位置決めするためには複数の工程が必要であるので、フィラメントアセンブリに損傷が生じることもある。
【０００６】
【発明が解決しようとする課題】
従って、フィラメント設定作業を改善する必要がある。特に、陰極及び類似の装置においてフィラメント位置を調整することが必要である。
【０００７】
【課題を解決するための手段】
本発明の１つの面では、Ｘ線管の陰極においてフィラメント設定高さを調整する方法を提供する。陰極においてフィラメント設定高さを調整する方法は、少なくとも２つの貫通孔が貫通しているＸ線管の陰極カップを設ける工程と、少なくとも２つの貫通孔を通してフィラメントのリードを所望のフィラメント設定高さより低いフィラメント設定高さまで挿入する工程と、挿入する工程により生じた実際のフィラメント設定高さを測定する工程と、挿入する工程により生じた実際のフィラメント設定高さを所望のフィラメント設定高さと比較する工程と、実際のフィラメント設定高さと所望のフィラメント設定高さとの差にほぼ等しくなるような調整となるように、フィラメント設定高さに対する調整を決定する工程と、フィラメントのリードの一端部を調整工具と接触させる工程と、前記調整工具を前記調整フィラメント設定高さ距離とほぼ等しい距離だけ移動させる工程とを有する。従って、フィラメントは所定のフィラメント設定高さに位置決めされる。
【０００８】
本発明の別の面では、陰極においてフィラメントのフィラメント設定高さを調整する装置を提供する。この装置は、第１の開いた端部及び第２の開いた端部を有する中心孔を具備する取り付け具と、取り付け具の第１の開いた端部に受け入れられ且つ第２の開いた端部に対して配設される軸方向カリブレータと、第２の開いた端部に隣接し、フィラメント支柱が第２の開いた端部を貫通し且つその軸に沿って移動自在であるように取り付け具を陰極の一部に固着するクランプとを具備する。カリブレータはフィラメントリードの一端部に接触されることができる。
【０００９】
本発明の別の面では、Ｘ線管のフィラメントを調整する調整装置を提供する。調整装置は取り付け具と、第１の開いた端部及び第２の開いた端部を有する中心孔と、取り付け具の第１の開いた端部に受け入れられ且つ第２の開いた端部に対して配設されるマイクロメータと、第２の開いた端部に隣接し、フィラメントのフィラメントリードが第２の開いた端部を貫通するように取り付け具を陰極の一部に固着するクランプとを具備する。マイクロメータはフィラメント支柱の一端部と接触され、フィラメント設定高さに影響を及ぼすようにフィラメント支柱の位置を調整することができる。
【００１０】
【発明の実施の形態】
図１は、使用に当たって本発明を容易に適応できる周知の陰極カップアセンブリ５０を示す平面図である。陰極カップアセンブリ５０は陰極カップ５２と、４つのフィラメント絶縁体５４Ａ、５４Ｂ、５４Ｃ及び５４Ｄと、２つのフィラメントアセンブリ５６Ａ及び５６Ｂ（点線で示す）とを具備する。フィラメントアセンブリ５６Ａ、５６Ｂは、それぞれ、フィラメント（図示せず）と、フィラメントの各々の端部から延出する支柱５８Ａ、５８Ｂ、５８Ｃ及び５８Ｄとを含む。フィラメント絶縁体５４Ａ、５４Ｂ、５４Ｃ及び５４Ｄは、それぞれ、１つの絶縁部材６０Ａ、６０Ｂ、６０Ｃ及び６０Ｄと、１つの支柱スリーブ６２Ａ、６２Ｂ、６２Ｃ及び６２Ｄと、１つのフランジ６４Ａ、６４Ｂ、６４Ｃ及び６４Ｄとを具備する。絶縁部材６０Ａ、６０Ｂ、６０Ｃ及び６０Ｄは、それぞれ、１つの孔（図１には図示せず）を具備することができ、それぞれの孔にフィラメントリード管６２Ａ、６２Ｂ、６２Ｃ及び６２Ｄが挿入されている。フィラメントリード管６２Ａ、６２Ｂ、６２Ｃ及び６２Ｄを必要に応じてそれぞれ対応する絶縁部材６０Ａ、６０Ｂ、６０Ｃ及び６０Ｄにろう付けすることができる。
【００１１】
各フランジ６４Ａ、６４Ｂ、６４Ｃ及び６４Ｄは、それぞれ対応する絶縁部材６０Ａ、６０Ｂ、６０Ｃ及び６０Ｄが貫通できるような大きさに形成された開口部（図示せず）を有する。各フランジ部分６６Ａ、６６Ｂ、６６Ｃ及び６６Ｄがそれぞれ対応する絶縁部材６０Ａ、６０Ｂ、６０Ｃ及び６０Ｄから半径方向外側へ延出するように、フランジ６４Ａ、６４Ｂ、６４Ｃ及び６４Ｄをそれぞれ対応する絶縁部材６０Ａ、６０Ｂ、６０Ｃ及び６０Ｄにろう付けすることができる。陰極絶縁体５４Ａ、５４Ｂ、５４Ｃ及び５４Ｄを陰極カップ５２に固着するために、溶接部６８でフランジ６４Ａ、６４Ｂ、６４Ｃ及び６４Ｄを陰極カップ５２に溶接、スポット溶接することができる。しかし、溶接に先立って、フランジ６４Ａ、６４Ｂ、６４Ｃ及び６４Ｄが重なり合わないようにフランジ６４Ａ、６４Ｂ、６４Ｃ及び６４Ｄをトリミングすべきである。それらのフランジ６４Ａ、６４Ｂ、６４Ｃ及び６４Ｄが重なり合ってしまうと、各フランジ６４Ａ、６４Ｂ、６４Ｃ及び６４Ｄを陰極カップ５２に固着溶接するのが非常に困難になるであろう。以下の説明中、溶接というときには、それは点溶接を指すが、それは単なる例であって、本発明を限定しようとするものではない。
【００１２】
フィラメント５６Ａが陰極カップ５２のフィラメント受け入れ部分７０におさまるように、フィラメント５６Ａを陰極カップ５２に挿入することができる。フィラメント支柱５８Ａは、絶縁部材７４Ａと、フィラメント貫通スリーブ６２Ａとから構成されるフィラメント貫通アセンブリを貫通することができる。フィラメント支柱５８Ａはフィラメント貫通スリーブ６２Ａから延出している。特定の陰極カップ面からフィラメントの発光部分までの距離をここでは「フィラメント設定高さ」とも言う。
【００１３】
次に、フィラメント支柱５８Ａをフィラメント貫通スリーブ６２Ａに接続できる。その他のフィラメント支柱５８Ｂ、５８Ｃ及び５８Ｄについても同じ工程を実行する。以上説明した陰極カップの構造は本発明の単なる例であり、その他の数多くの種類及び型式の陰極カップ構造に容易に適応できることを理解すべきである。
【００１４】
フィラメントを規定の設定高さ許容差、例えば、約２０ミクロンに調整する必要があるが、この高さに限定されるものではない。従来、フィラメント設定高さは、ペンチを使用して設定高さを低くするようにフィラメント支柱を引くか、又はハンマーを使用してフィラメント貫通スリーブを通して支柱を押し、設定高さを大きくするかのいずれかの方法により調整されていた。従って、設定高さ調整距離は大体の距離であり、所望のフィラメント設定高さが得られるまでに一般に何回かの繰り返し作業が必要であった。
【００１５】
本発明に従って具現化されたフィラメント設定高さ調整装置を図３に示す。この装置（以下、「フィラメント調整工具」と呼ぶ）１００はマイクロメータ１０２などのカリブレータを具備する。
【００１６】
しかし、以下の説明の中でカリブレータをマイクロメータとして挙げる場合、それは単なる例であって、本発明を限定しようとするものではない。本発明に従って具現化される工程を申し分なく実行する、図３に示すデジタルマイクロメータは、川崎のMitutoyo Corporationにより製造されているJapan Model No.３５０−７１４−３０である。
【００１７】
マイクロメータ１０２は約２５mmまでの測定範囲を有し、約１ミクロンの精度まで距離を読み取ることができる。マイクロメータ１０２は、例えば、スピンドル１０８の回転によって移動自在である軸方向プッシュロッド１０６を具備する。マイクロメータ１０２のハウジング１１０には調整用取り付け具１１２が固着されている。この取り付け具１１２は図８に示されている。調整用取り付け具１１２はハウジング１１０に対して、調整用取り付け具１１２の孔１１５に受け入れられる止めねじ１１４によって固着されている。調整用取り付け具１１２はその中央領域を貫通する孔１１３を含み、孔１１３は第１の直径１１７を有する第１の部分１１６を含む。第１の部分１１６はマイクロメータ１０２のハウジング１１０を収容する。第１の直径１１７より小さい第２の直径１１９を有する第２の部分１１８は、ロッド１０６の軸方向移動に対応し、第３の直径１２１を有する第３の部分１２０は陰極カップのフィラメントリード管を収容する。第３の直径１２１は第２の直径１１９より小さい。調整用取り付け具１１２を陰極カップのフィラメントリード管に対して固着するために孔１２３に受け入れられる止めねじ１２２は、第３の部分１２０へ延出している。
【００１８】
調整用取り付け具１１２の長さに沿って覗き窓１２４が設けられている。調整用取り付け具１１２はいくつかの構成をとることができる。例えば、プッシュロッド１０６とフィラメント支柱との接触状態を見やすくするために、調整用取り付け具１１２は軸方向溝穴を有していても良い。プッシュロッド１０６とフィラメント支柱との摩擦を少なくするために、プッシュロッド１０６の先端を面取りするか、又は球形の挿入部材を設けても良い。調整用取り付け具１１２は、例えば、鋼又はアルミニウムなどの適切な剛性材料から製造されていれば良いが、材料はこれに限定されない。
【００１９】
調整用取り付け具１１２（図４）は中心孔１１３を通して陰極カップ５２のフィラメント貫通スリーブ６２Ａを容易に受け入れることができる。止めねじ１２２又は何らかの等価の固着装置を使用して、調整用取り付け具１１２をフィラメントリード管６２Ａに固着することができる。フィラメント支柱５８Ａをフィラメント貫通スリーブ６２Ａを通して初期位置まで挿入すると、フィラメント設定高さは所望の値より低くなる。そこで、フィラメント支柱５８Ａを陰極カップ５２に関して所定の場所に一時的に保持するために、フィラメント貫通スリーブ６２Ａとフィラメント支柱５８Ａを軽くクリンプすることができる。フィラメント支柱５８Ａはフィラメント貫通スリーブ６２Ａを通して、所望のフィラメント設定高さに必要とされる距離より長い距離だけ延出しているので、所望のフィラメント設定高さを実現するためには、フィラメント支柱５８Ａをその軸に沿って押し出さなければならない。
【００２０】
各々のフィラメントリードを対応するフィラメント貫通スリーブに挿入し、軽いクリンプを利用して固着した後、フィラメント設定高さを測定する。例えば、陰極カップ５２をデジタル高さ読み取り機構を具備する顕微鏡の下に置く。フィラメントリードごとに、実際の設定高さと所望の設定高さとの差を決定する。陰極カップ５２を顕微鏡から取り外し、以下に図４に関して説明し且つ図５に示すように、調整工具１００を各々のフィラメントリード管にクランプすることができる。そこで、所望の設定高さが得られるように各々のフィラメントリードを個別に調整できる。
【００２１】
フィラメントリード管６２Ａにフィラメント設定高さ調整工具１００を固着した後、図６に示すようにプッシュロッド１０６の先端１２６がフィラメントリード５８Ａに接触するまでマイクロメータ１０２のスピンドル１０８を回転させる。プッシュロッド１０６とフィラメントリード５８Ａとの初期接触及び接触後のフィラメントリード５８Ａの動きを検査し、調整用取り付け具１１２の覗き窓１２４を通して観察する。プッシュロッド１０６がフィラメントリード５８Ａに接触したならば、マイクロメータ１０２の読み１０４を記録する。そこで、マイクロメータ１０２のスピンドル１０８を回転させて、フィラメントリード５８Ａを陰極カップ５２に向かって押し出すことができる。この押し出しによって、所望の距離に達するまでフィラメント設定高さが増加し、図７に示すように所望のフィラメント設定高さが得られたことはマイクロメータ１０２の読み１０４により容易に判定される。
【００２２】
フィラメントリード５８Ａと接触した後にプッシュロッド１０６が動いた距離は、先に決定された設定高さの差にほぼ等しい。所望のフィラメント設定高さが得られたならば、例えば、止めねじ１２２をゆるめることにより、フィラメント設定高さ調整工具１００をフィラメントリード管６２Ａから取り外す。陰極カップのフィラメントリードごとにこの工程を繰り返し実行すれば良い。更に、フィラメント支柱を有するどのような陰極カップにおいてもこの工程を実行できる。加えて、このような調整工程と関連する時間を短縮するために、複数のフィラメントリードを同時に調整できるように調整用取り付け具１１２を構成しても良い。
【００２３】
図８は、陰極カップのフィラメント支柱に関するマイクロメータ１０２の相対位置を固定するために利用される調整用取り付け具１１２を示す。調整用取り付け具１１２は鋼、アルミニウム又は機械加工可能なセラミックなどを含む何らかの適切な剛性材料から製造されていれば良いが、材料はそれらに限定されない。調整用取り付け具１１２はそれを貫通する中心孔１１３を含み、第１の部分１１６と、第２の部分１１８と、第３の部分１２０とを有する。第１の部分１１６はマイクロメータ１０２を受け入れることができ、第３の部分は陰極カップのフィラメント貫通スリーブ及び支柱の少なくとも一方を受け入れることができる。また、調整用取り付け具１１２は調整用取り付け具１１２をマイクロメータに固着するために止めねじ１１４を受け入れる孔１１５と、調整アセンブリをフィラメント貫通スリーブに対して固着するために止めねじ１２２を受け入れる孔１２３とを含む。第２の部分１１８の側壁には、オペレータがマイクロメータ１０２のプッシュロッド１０６とフィラメント支柱との接触を見ることができるように、オプションとして覗き穴１２４が設けられている。
【００２４】
図９及び図１０を参照すると、本発明に従って具現化されたフィラメント調整工具の別の構成が示されている。図９において、円筒形の取り付け具２１０は中心孔２１２を含み、中心孔２１２の内壁には、図１０に示すように、調整ボルト２１４を受け入れるためにねじ山が形成されている。中心孔２１２は第１の直径を有する第１の部分２１６と、第１の直径より、通常小さい第２の直径を有する第２の部分２１８とを含む。第２の部分２１８と交わる孔２２０は、取り付け具２１０をフィラメント貫通スリーブに関して固着するための止めねじ２２２（止めねじ１２２に類似している）を受け入れることができる。オペレータがボルト２１４と、フィラメント貫通スリーブから延出するフィラメント支柱との接触を検査するための覗き窓２２４が設けられている。
【００２５】
図１０に示すように、調整ボルト２１４はねじ山が形成されたプッシュロッド２２６を具備し、このプッシュロッド２２６は取り付け具の中心孔２１２と係合し、中心孔２１２内部でボルト２１４の頭部２２８の回転に対応して軸方向に移動自在である。取り付け具２１０は、例えば、フィラメント貫通スリーブの一部及び陰極カップのフィラメント支柱が第１の部分２１６へ延出するような状態で、孔２２０に受け入れられる止めねじによって陰極カップのフィラメント貫通スリーブに選択的に固着されるが、この構成には限定されない。固着された後、ボルト２１４を回すと、プッシュロッド２２６の端部２３０はフィラメントリードと接触する。更にボルト２１４を回し続けると、支柱はフィラメント貫通スリーブに対して動き、その結果、陰極カップ内でフィラメント設定高さを調整することができる。この工程は先に説明した実施例とほぼ同様であるので、先の工程の説明を参照のこと。
【００２６】
説明中、特に指示のない限り、用語には当業者に理解される普通の意味を与えた。例えば、「ほぼ」及び「一般に」という用語は当該技術分野で理解されているように変動を伴う相対的な用語である。ここでは様々な実施例を説明したが、当業者により、本発明の範囲内で様々な要素の組み合わせ、変形及び改善を実施しうることは明細書から理解されるであろう。
【図面の簡単な説明】
【図１】フィラメント絶縁体及び陰極カップを示す略図。
【図２】図１のフィラメント絶縁体及び陰極カップの部分横断面側面図。
【図３】本発明に従って具現化された陰極カップアセンブリにおけるフィラメント設定高さ調節装置を示す略図。
【図４】図２のフィラメント絶縁体及び陰極カップと関連して使用された図３の装置を示す略図。
【図５】本発明に従って具現化された陰極カップアセンブリのフィラメント設定高さ調整方法の一工程を示す略図。
【図６】本発明に従って具現化された陰極カップアセンブリのフィラメント設定高さ調整方法の一工程を示す略図。
【図７】本発明に従って具現化された陰極カップアセンブリのフィラメント設定高さ調整方法の一工程を示す略図。
【図８】図３〜図７で使用される取り付け具を示す略図。
【図９】本発明に従って具現化された別の取り付け具を示す略図。
【図１０】本発明に従って具現化された別のフィラメント設定高さ調整工具を示す略図。
【符号の説明】
５０  陰極カップアセンブリ
５２  陰極カップ
５４Ａ〜５４Ｄ  フィラメント絶縁体
５４Ａ、５４Ｂ  フィラメントアセンブリ
５８Ａ〜５８Ｄ  支柱
６０Ａ〜６０Ｄ  絶縁部材
６２Ａ〜６２Ｄ  フィラメントリード管
６４Ａ〜６４Ｄ  フランジ
１００  フィラメント調整工具
１０２  マイクロメータ
１０６  プッシュロッド
１０８  スピンドル
１１２  取り付け具
１１３  中心孔
１２２  止めねじ
２１０  取り付け具
２１２  中心孔
２１４  調整ボルト
２２２  止めねじ
２２６  プッシュロッド
【図１】
0003645499.tif 000002
【図２】
0003645499.tif 000003
【図３】
0003645499.tif 000004
【図４】
0003645499.tif 000005
【図５】
0003645499.tif 000006
【図６】
0003645499.tif 000007
【図７】
0003645499.tif 000008
【図８】
0003645499.tif 000009
【図９】
0003645499.tif 000010
【図１０】
0003645499.tif 000011